(57)【要約】【課題】志向が異なる幅広い属性の購入者にとって利便性の高い自動販売機及び自動販売機システムを提供する。【解決手段】購入者は、自動販売機１にて販売されている商品の購入を所望する場合、自動販売機１に記録媒体を接近させる。自動販売機１は、記録媒体に記録されている属性情報を読み取り（Ｓ１０１）、読み取った各属性情報に対応付けられている重み係数を夫々乗じて商品毎の点数を算出し（Ｓ１０２）、点数に基づく各商品の順位を決定する（Ｓ１０４）。そして自動販売機１は、属性情報に基づいて表示テンプレートを選択し（Ｓ１０５）、選択した表示テンプレートに基づく配置及び大きさで商品の画像を表示する（Ｓ１０７）。【選択図】図８
2008234331.tif 000002
【特許請求の範囲】
【請求項１】
販売する商品の画像を表示する表示面を有し、指定された商品を排出する自動販売機において、
人物に係る属性を示す属性情報を受け付ける受付手段と、
受け付けた属性情報に基づいて、表示面に表示させる商品の画像の表示方法を決定する決定手段と
を備えることを特徴とする自動販売機。
【請求項２】
前記決定手段は、商品の画像の配置及び／又は大きさを決定する様に構成してあることを特徴とする請求項１に記載の自動販売機。
【請求項３】
前記表示面を覆い、該表示面に表示している画像を透過させ、該画像を指定する入力を受け付ける入力層を有し、
該入力層が、表示面に表示された商品の画像を指定する入力を受け付けた場合に、指定された画像の商品を排出させる手段を更に備える
ことを特徴とする請求項１又は請求項２に記載の自動販売機。
【請求項４】
前記受付手段は、人物の高さに係る属性情報を受け付ける様に構成してあり、
前記決定手段は、高さに係る属性情報に基づいて、商品の画像を配置する上下方向の位置を決定する様に構成してある
ことを特徴とする請求項１乃至請求項３のいずれかに記載の自動販売機。
【請求項５】
前記受付手段は、複数の数値化された属性情報を受け付ける様に構成してあり、
商品に対応付けて、属性に対応する重み係数を記録する係数テーブルと、
前記受付手段が受け付けた各属性情報に、対応付けられている重み係数を夫々乗じて、商品毎の点数を算出する算出手段と
を更に備え、
前記決定手段は、算出した点数の順に基づいて決定する様に構成してある
ことを特徴とする請求項１乃至請求項４のいずれかに記載の自動販売機。
【請求項６】
請求項１乃至請求項５のいずれかに記載の自動販売機と、
属性情報を記録した記録媒体と
を備え、
前記自動販売機が備える受付手段は、記録媒体に記録されている属性情報を受け付ける様に構成してある
ことを特徴とする自動販売機システム。
【発明の詳細な説明】
【技術分野】
【０００１】
本発明は、販売する商品の画像を表示する表示面を有し、指定された商品を排出する自動販売機、及び該自動販売機を用いた自動販売機システムに関し、特に自動販売機により商品を購入する購入者の志向に応じた商品を優先して表示する自動販売機及び自動販売機システムに関する。
【背景技術】
【０００２】
飲料等の商品を販売する自動販売機が広く普及しており、老若男女様々な属性の購入者によって利用されている。一般的な自動販売機の前面には、商品又は該商品の模型が陳列され、陳列されている商品を指示する押釦が陳列されている位置に配設されている。
【０００３】
特許文献１には、前面にディスプレイを設け、販売数順位に応じて商品の画像をディスプレイに表示する自動販売機が開示されている。
【特許文献１】特開２００５−２０２６８３号公報
【発明の開示】
【発明が解決しようとする課題】
【０００４】
しかしながら広く普及して様々な属性の購入者に利用される様になった自動販売機は、全ての購入者にとって利用し易い様に商品が陳列されているとは限らないという問題がある。具体例として、小学校低学年以下の身長が低い児童にとって、高い位置に陳列されている商品は、視認し難く、また押釦を押下し難いという問題がある。また例えば２０歳代の女性にとって、カロリの低い飲料は、目立ちやすい自動販売機の中央付近にあることが望ましい。
【０００５】
特許文献１には、販売数が多い商品の画像を表示することで、売れ筋の商品を購入者に提示することが見込まれるが、全ての属性の購入者が同じ志向であるとは限らないという問題がある。
【０００６】
本発明は斯かる事情に鑑みてなされたものであり、人物に関する属性を示す属性情報を受け付け、受け付けた属性情報に基づいて、商品の配置、大きさ等の表示方法を変更することにより、購入者の属性に応じた状態で商品を表示して、志向が異なる幅広い属性の購入者にとって利便性の高い自動販売機、及び該自動販売機を用いた自動販売機システムの提供を主たる目的とする。
【０００７】
また本発明は、画像を表示する表示面を入力層にて覆うタッチパネル等のデバイスを用いることにより、更に利便性の高い自動販売機等の提供を他の目的とする。
【課題を解決するための手段】
【０００８】
第１発明に係る自動販売機は、販売する商品の画像を表示する表示面を有し、指定された商品を排出する自動販売機において、人物に係る属性を示す属性情報を受け付ける受付手段と、受け付けた属性情報に基づいて、表示面に表示させる商品の画像の表示方法を決定する決定手段とを備えることを特徴とする。
【０００９】
第２発明に係る自動販売機は、第１発明において、前記決定手段は、商品の画像の配置及び／又は大きさを決定する様に構成してあることを特徴とする。
【００１０】
第３発明に係る自動販売機は、第１発明又は第２発明において、前記表示面を覆い、該表示面に表示している画像を透過させ、該画像を指定する入力を受け付ける入力層を有し、該入力層が、表示面に表示された商品の画像を指定する入力を受け付けた場合に、指定された画像の商品を排出させる手段を更に備えることを特徴とする。
【００１１】
第４発明に係る自動販売機は、第１発明乃至第３発明のいずれかにおいて、前記受付手段は、人物の高さに係る属性情報を受け付ける様に構成してあり、前記決定手段は、高さに係る属性情報に基づいて、商品の画像を配置する上下方向の位置を決定する様に構成してあることを特徴とする。
【００１２】
第５発明に係る自動販売機は、第１発明乃至第４発明のいずれかにおいて、前記受付手段は、複数の数値化された属性情報を受け付ける様に構成してあり、商品に対応付けて、属性に対応する重み係数を記録する係数テーブルと、前記受付手段が受け付けた各属性情報に、対応付けられている重み係数を夫々乗じて、商品毎の点数を算出する算出手段とを更に備え、前記決定手段は、算出した点数の順に基づいて決定する様に構成してあることを特徴とする。
【００１３】
第６発明に係る自動販売機システムは、第１発明乃至第５発明のいずれかに記載の自動販売機と、属性情報を記録した記録媒体とを備え、前記自動販売機が備える受付手段は、記録媒体に記録されている属性情報を受け付ける様に構成してあることを特徴とする。
【００１４】
第１発明及び第６発明では、ＩＣカード、磁気カード、携帯電話等の記録媒体から受け付ける人物の属性に応じて商品の画像の表示方法を変更することにより、購入者に適した商品を好適な状態で表示することが可能であり、更に第２発明では、商品の画像の配置及び大きさを変更することにより、購入者に適した商品の位置及び大きさを変更して強調することが可能であり、これらにより志向が異なる幅広い属性の購入者にとって利便性を向上させることが可能である。
【００１５】
第３発明では、画像を表示する表示面を入力層にて覆うタッチパネル等のデバイスを用いることにより、購入者は、表示された画像を指定するだけで商品を購入することができるので、例えば商品の配置が変化した場合でも、所望の商品を視認しながら商品を購入することができるので、購入者の利便性を向上させることが可能である。
【００１６】
第４発明では、例えば身長が低い小学校低学年等の購入者に対しては、好適な商品を下方に表示することにより、購入者にとって好適な商品を視認し易い位置に配置し、更に第３発明を適用した場合には、購入のための指定が容易な位置に商品が表示されるので、購入者の利便性を向上させることが可能である。
【００１７】
第５発明では、様々な属性を考慮して最適な商品の表示を強調することが可能である。
【発明の効果】
【００１８】
本発明に係る自動販売機及び自動販売機システムでは、販売する商品の画像を表示する表示面を有し、指定された商品を排出する自動販売機において、ＩＣカード、磁気カード、携帯電話等の記録媒体に記録されている人物に係る性別、年齢層、志向等の属性を示す属性情報を受け付け、受け付けた属性に基づいて、表示面に表示させる画像の配置、大きさ等の表示方法を決定し、決定した表示方法で商品の画像を表示する。
【００１９】
この構成により、本発明では、購入者に適した商品の位置及び大きさを変更して強調する等、購入者に適した商品を好適な状態で表示することが可能であり、従って志向が異なる幅広い属性の購入者にとって利便性を向上させることが可能である等、優れた効果を奏する。しかも属性だけでなく、記録媒体又は他の装置に購入者の購入履歴を記録した場合には、購入者の志向を適切に反映する商品を好適な状態で表示することが可能である。
【００２０】
また本発明に係る自動販売機等は、画像を表示する表示面を商品の指定を受け付ける入力層にて覆うタッチパネル等のデバイスを用いることにより、購入者は、表示された画像を指定するだけで商品を購入することができるので、例えば商品の配置が変化した場合でも、所望の商品を視認しながら商品を購入することができるので、購入者の利便性を向上させることが可能である等、優れた効果を奏する。
【００２１】
さらに本発明に係る自動販売機等は、人物の高さに係る属性情報を受け付けた場合、高さに係る属性情報に基づいて、商品の画像を配置する上下方向の位置を変更することにより、例えば身長が低い小学校低学年等の購入者に対しては、好適な商品を下方に表示することで、購入者にとって好適な商品を視認し易い位置に配置し、更に購入のための指定が容易な位置に商品が表示されるので、購入者の利便性を向上させることが可能である等、優れた効果を奏する。
【００２２】
さらに本発明に係る自動販売機等は、複数の数値化された属性情報を受け付け、商品に対応付けて、属性に対応する重み係数を記録する係数テーブルを参照して、受け付けた各属性情報に、対応付けられている重み係数を夫々乗じて商品毎の点数を算出し、算出した点数の順に基づいて、商品の表示方法を決定することにより、様々な属性を考慮して最適な商品の表示を強調することが可能である等、優れた効果を奏する。しかも販売側が重点的な販売を意図する商品に重要度点数を係数テーブルに設定しておくことにより、該当商品を認識し易い状態で表示し、購入を促進することが可能である等、優れた効果を奏する。
【発明を実施するための最良の形態】
【００２３】
以下、本発明をその実施の形態を示す図面に基づいて詳述する。
【００２４】
実施の形態１．
図１は、本発明の実施の形態１に係る自動販売機システムの構成例を概念的に示す説明図である。図１中１は、本発明の自動販売機であり、自動販売機１は、販売する飲料等の商品の画像を表示する液晶タッチパネル等の表示部１１と、ＩＣカード、磁気カード、携帯電話等の記録媒体２と無線通信を行う無線通信部１２とを備えている。商品を購入する購入者は、記録媒体２を所持しており、所持している記録媒体２を無線通信部１２に接近させ、記録媒体２に記録されている各種情報を自動販売機１に読み取らせた上で、液晶タッチパネル等の表示部１１に表示されている商品の画像に触れることにより、自動販売機１は、購入者が触れた画像の商品を指定する入力を受け付けたと判断し、指定された商品を排出することで、商品の販売を行う。
【００２５】
図２は、本発明の実施の形態１に係る自動販売機システムが備える各装置の構成を示すブロック図である。自動販売機１は、装置全体を制御する制御部１０と、表示部１１と、無線通信部１２と、商品を格納する商品格納部１３と、商品を排出する商品排出部１４と、金銭の投入受付、貯留、排出、更には電子決済等の決済に関する処理及び管理を行う決済管理部１５とを備えている。
【００２６】
制御部１０は、各種プログラム及びデータ等の情報を記録するハードディスク、ＲＯＭ、ＲＡＭ等の記録手段１０１と、記録手段１０１に記録されたプログラムを実行するＣＰＵ等の制御手段１０２とを備えている。
【００２７】
記録手段１０１の記録領域の一部は、購入者の様々な属性を示す各属性情報に対応する重み係数を記録する係数テーブル１０１ａ、販売側が販売する商品に対して設定した重要度を示す重要度点数を記録する重要度テーブル１０１ｂ、商品の画像を示す画像情報を記録する画像テーブル１０１ｃ等の各種テーブルとして用いられている。さらに記録手段１０１には、商品の画像の表示方法を示した複数の表示テンプレート１０１ｄ等の様々な情報が記録されている。
【００２８】
表示部１１は、一方の面が表示面となる液晶層等の表示層１１０と、表示層１１０の表示面を覆い、表示面に表示されている画像を透過させ、画像を指定する入力を受け付ける入力層１１１とを有するタッチパネル等のデバイスを用いて構成され、更に表示層１１０を制御して表示層１１０の表示面に画像を表示させる表示制御手段１１２と、入力層１１１により受け付けた画像の指定に基づく商品排出部１４への商品の排出指示等の制御を行う入力制御手段１１３とを備えている。
【００２９】
無線通信部１２は、記録媒体２に記録されている各種情報を受け付ける受付手段１２０と、記録媒体２に各種情報を送信して記録媒体２に各種情報を記録させる送信手段１２１と、接近した記録媒体２に対して電磁誘導により起電力を発生させる送電手段１２２とを備えている。
【００３０】
決済管理部１５は、商品の購入に際し、現金決済を行う場合の処理及び管理、並びに記録媒体２を用いた電子決済を行う場合の処理及び管理を行う。なお図１は、電子決済専用として構成した自動販売機１を示しており、金銭の投入口を備えていない。
【００３１】
記録媒体２は、自らを識別する媒体識別情報、購入者を識別する人物識別情報、購入者の属性を示す各種属性情報等の様々な情報を記録する記録手段２０と、記録手段２０に記録された各種情報の発信及び各種情報の受信を行う通信手段２１と、自動販売機１から発信される電磁波に基づいて電磁誘導により起電力を発生させる受電手段２２とを備えている。なお図２では、ＩＣカードを用いた記録媒体２を例示しているが、例えば携帯電話を記録媒体２として用いる場合、自動販売機１からの受電は行わず、内蔵している電池を用いる様にしても良く、また通信方法もＲＦＩＤチップを用いた上述した方法以外に赤外線通信、Ｂｌｕｅｔｏｏｔｈ（登録商標）等の通信規格に基づく短距離無線通信等の様々な方法が用いられる。
【００３２】
図３は、本発明の実施の形態１に係る自動販売機１が備える係数テーブル１０１ａの記録内容の一例を概念的に示す説明図である。係数テーブル１０１ａには、自動販売機１にて販売する商品を示す商品番号及び商品名に対応付けて、各種属性等の様々な項目に対応する重み係数を示す数値がレコードとして記録されている。また購入者の購入履歴に対する重み係数も設定されている。属性とは、購入者の性別、年齢層、志向等の属性を示しており、具体的には、男性、女性、老人、成人、未成年、小学生、低カロリ、健康、運動補助、炭酸、酒類等の様々な項目が属性として設定されている。さらに商品の在庫を示す項目が設定されている。各商品に設定されている各属性の重み係数は、その商品を志向する購入者の属性に応じて設定されている。例えばダイエットに効果的な商品は、女性、成人、低カロリ、健康、運動補助等の項目に重みが設定される。なお図３は、重み係数として「０」及び「１」の２値を用いる例を示しているが、３値以上の数値を設定しても良いことは言うまでもない。また商品が酒類である場合、未成年及び小学生の項目には、「−∞」等のダミー値が設定される。
【００３３】
図４は、本発明の実施の形態１に係る自動販売機１が備える重要度テーブル１０１ｂの記録内容の一例を概念的に示す説明図である。重要度テーブル１０１ｂには、商品を示す商品番号及び商品名、並びに重要度を点数化した重要度点数が対応付けて記録されている。重要度とは、販売者が販売を促進すべき程度を示しており、重要度が高い商品は販売を促進している商品である。
【００３４】
図５は、本発明の実施の形態１に係る自動販売機１が備える画像テーブル１０１ｃの記録内容の一例を概念的に示す説明図である。画像テーブル１０１ｃには、商品を示す商品番号及び商品名に対応付けて商品の画像を示す画像情報が記録されている。商品を示す画像は複数記録されており、夫々表示サイズが異なる。即ち大きな画像を表示する場合、表示サイズが大きな画像の画像情報が表示される。また大きな画像を表示する場合に別途表示する広告画像を示す広告情報を記録する様にしても良い。さらに大きな画像を表示する場合に表示する画像として動画を表示する画像情報を記録する様にしても良く、その場合、動画と共に出力する音声に係る音声情報を記録する様にしても良い。
【００３５】
図６は、本発明の実施の形態１に係る自動販売機１が備える表示テンプレート１０１ｄの例を概念的に示す説明図である。図６は、商品の優先順位と、商品の画像の配置及び大きさとの関係を示す表示テンプレート１０１ｄの例である。図６では、表示部１１の表示面を複数の領域に区分した状態を示しており、各領域に示された数値が商品の優先順位を示している。例えば図６（ａ）では、優先順位が「１」である商品の画像が、表示面の中心に大きな画像で表示されており、優先順位が高い程、中央付近に配置され、画像も大きくなり、優先順位が低い程、縁部に小さい画像が配置されることになる。また広告用の領域も設定されており、優先順位が高い商品については、商品の画像だけでなく、広告用の静止画像又は動画像をも表示する。図６（ｂ）は、後述する低身長の属性を有する購入者に対する表示テンプレート１０１ｄであり、優先順位が高い程、購入者が視認しやすい下部に配置されている。本発明の自動販売機１は、この様な複数の表示テンプレート１０１ｄを有しており、購入者の属性に応じて最適な表示テンプレート１０１ｄを選択する。
【００３６】
図７は、本発明の実施の形態１に係る自動販売機システムにて用いられる記録媒体２に記録されている属性情報の一例を概念的に示す説明図である。記録媒体２の記録手段２０には、各種属性に係る属性情報が記録されている。記録媒体２に記録されている属性情報は、自動販売機１が備える係数テーブル１０１ａに記録されている属性と対応しており、購入者の性別、年齢層、志向等の属性、具体的には、男性、女性、老人、成人、未成年、小学生、幼児、低カロリ、健康、運動補助、炭酸、酒類等の様々な項目の属性が「１」、「０」等の数値として示されている。また記録媒体２には、高身長、低身長等の購入者の身体的特徴等の属性を示す属性情報も記録されている。更に記録媒体２には、購入者の購入履歴を示す履歴情報も示されており、履歴情報は、例えば直近に購入した所定数分の商品の商品番号として記録される。
【００３７】
次に本発明の実施の形態１に係る自動販売機システムが備える各装置の処理を説明する。図８は、本発明の実施の形態１に係る自動販売機１の処理の一例を示すフローチャートである。購入者は、自動販売機１にて販売されている商品の購入を所望する場合、自動販売機１の無線通信部１２に記録媒体２を接近させる。自動販売機１は、制御部１０の制御により、記録媒体２に記録されている属性情報及び履歴情報を無線通信部１２にて読み取る（Ｓ１０１）。ステップＳ１０１において、自動販売機１は、無線通信部１２から記録媒体２へ情報の発信を要求する命令を送信し、記録媒体２は、通信手段２１にて命令を受信し、記録手段２０に記録されている属性情報及び履歴情報を発信する。そして自動販売機１は、無線通信部１２により、属性情報及び履歴情報を受け付けることにより、これらの情報を読み取る。なおステップＳ１０１にて自動販売機１が受け付ける属性情報及び履歴情報は、図７を用いて説明した属性情報及び履歴情報である。
【００３８】
自動販売機１は、制御部１０の制御により、読み取った各属性情報及び履歴情報に、対応付けられている重み係数を夫々乗じて商品毎の点数を算出する（Ｓ１０２）。ステップＳ１０２において、対応付けられている重み係数とは、係数テーブル１０１ａに記録されている重み係数である。
【００３９】
図９は、本発明の実施の形態１に係る自動販売機１の処理の途中経過の一例を概念的に示す説明図である。図９（ａ）及び図９（ｂ）は、ステップＳ１０２の商品毎に算出される点数の計算過程を示している。図９（ａ）は、図７にて説明した属性情報及び履歴情報に係る各項目の値に、図３にて説明した係数テーブル１０１ａに記録されている項目毎の重み係数を乗じた結果を示しており、図９（ｂ）は、図９（ａ）に示す各項目の点数を合計した商品毎の点数を重み付け点数として示している。なお在庫が０である商品は販売することができないため、計算結果に関わらず重み付け点数は０となる。また酒類に対しては、重み係数として未成年及び小学生の項目に「−∞」等のダミー値が設定されているため、重み付け点数も「−∞」等の所定のエラー値となり、その商品は販売の対象から除外される。これにより未成年に対する酒類の販売を防止することができる。
【００４０】
図８のフローチャートに戻り、自動販売機１は、制御部１０の制御により、算出した各商品の点数に、重要度テーブル１０１ｂに記録されている重要度を点数化した点数を加算し（Ｓ１０３）、重要度を加算した点数をソートキーとして、降順に並べ替えを行い、点数に基づく各商品の順位を決定する（Ｓ１０４）。
【００４１】
図１０は、本発明の実施の形態１に係る自動販売機１の処理の途中経過の一例を概念的に示す説明図である。図１０は、ステップＳ１０３において、算出した各商品の点数（重み付け点数）に、重要度テーブル１０１ｂに記録されている重要度の点数を加算した結果を合計点数として示している。なお在庫が０である商品は、重要度の点数に関わらず合計点数が０となる。またエラー値をとる酒類の商品も重要度の点数に関わらず合計点数が０となる。
【００４２】
図１１は、本発明の実施の形態１に係る自動販売機１の処理の途中経過の一例を概念的に示す説明図である。図１１は、ステップＳ１０４において、重要度を加算して点数（合計点数）をソートキーとして並べ替えを行った状態を示している。並べ替えの結果、商品「Ｂｉｙｏ」が一位となり、以下「ノンカロ」、「焙煎コーヒー（無糖）」、…と続いている。なおステップＳ１０２において点数を算出した後、上位に同点の商品が存在する場合にのみ、重要度に係る点数を加算する様にしても良い。
【００４３】
図８のフローチャートに戻り、自動販売機１は、制御部１０の制御により、記録媒体２から読み取った属性情報に基づいて、表示テンプレート１０１ｄを選択し（Ｓ１０５）、画像テーブル１０１ｃから商品の画像を示す画像情報を読み取り（Ｓ１０６）、商品の画像情報に基づく画像を、選択した表示テンプレート１０１ｄに基づく配置及び大きさで表示部１１に表示する（Ｓ１０７）。ステップＳ１０５では、例えば低身長の属性を有する購入者に対しては、優先順位が高い商品が下方に配置された図６（ｂ）に示した表示テンプレート１０１ｄが選択される。なお身長そのものが低くなくても、例えば車椅子使用者等の属性を設け、車椅子使用者の属性を高さに係る属性と見なし、図６（ｂ）に示した表示テンプレート１０１ｄを選択する様にしても良い。即ち人物の高さに係る属性情報に基づいて、商品の画像を配置する上下方向の位置が決定する。ステップＳ１０６では、表示テンプレート１０１ｄの表示サイズに応じた画像情報が読み取られる。即ち大きいサイズで表示する商品については、表示サイズが大きい画像情報が読み取られる。
【００４４】
図１２は、本発明の実施の形態１に係る自動販売機１の表示部１１に表示される画像の一例を示す説明図である。図１２は、ステップＳ１０７において表示される画像を示しており、自動販売機１にて販売される商品の画像が示されている。なお図１２は、低身長の属性を有する購入者に対して表示される画像を示しており、ステップＳ１０５において、図６（ｂ）に示した表示テンプレート１０１ｄが選択されている。各商品は、優先順位に従って大きさ及び配置が設定されており、最も優先順位が高い商品については、商品そのものの画像だけでなく、商品の広告用の画像も表示されている。そして購入者は、表示部１１に表示されている商品の画像の中から、所望の商品の画像を指定する入力を行う。具体的にはタッチパネルとして構成されている自動販売機１の表示部１１に対し、購入者は、所望の商品の画像が表示されている位置に触れる行為を行う。自動販売機１は、購入者が表示部１１に触れた位置を入力層１１１にて検出し、触れた位置に対応する画像の商品を商品排出部１４から排出する。また商品の購入に際し精算処理が行われる。精算処理とは、現金の投入又は記録媒体２に基づく電子決済処理である。
【００４５】
さらに商品を購入又は指定後、購入者が、記録媒体２を、自動販売機１の無線通信部１２に記録媒体２を接近させることにより、購入した商品に基づいて、記録媒体２の履歴情報が更新される。
【００４６】
実施の形態２．
実施の形態２は、実施の形態１において、複数の自動販売機に記録装置を接続し、記録装置にて購入者の購入履歴を管理する形態である。なお実施の形態２において、なお以降の説明において、実施の形態１と同様の構成要素については、実施の形態１と同様の符号を付すものとし、その詳細な説明を省略する。図１３は、本発明の実施の形態２に係る自動販売機システムの構成例を概念的に示す説明図である。自動販売機１は、専用通信網、インターネット、ＶＰＮ、ＷＡＮ、ＬＡＮ等の通信網１００にて接続されており、通信網１００には、記録装置３が接続されている。
【００４７】
図１４は、本発明の実施の形態２に係る自動販売機システムが備える各装置の構成を示すブロック図である。記録装置３は、装置全体を制御する制御部３０と、ハードディスク等の記録部３１と、通信網１００に接続する通信部３２とを備えている。記録部３１の記録領域の一部は、購入者の購入履歴を示す履歴情報が記録された履歴テーブル３１ａとして用いられている。
【００４８】
自動販売機１は、通信網１００に接続する有線通信部１６を備えている。
【００４９】
図１５は、本発明の実施の形態２に係る記録装置３が備える履歴テーブル３１ａの記録内容の一例を概念的に示す説明図である。履歴テーブル３１ａには、記録媒体２を識別する媒体識別情報、記録媒体２を所持する購入者を識別する人物識別情報等の識別情報に対応付けて、購入履歴を示す履歴情報が記録されている。履歴情報は例えば直近に購入した所定数分の商品の商品番号として記録される。
【００５０】
次に本発明の実施の形態２に係る自動販売機システムが備える各装置の処理を説明する。図１６は、本発明の実施の形態２に係る自動販売機１の処理の一例を示すフローチャートである。購入者は、自動販売機１にて販売されている商品の購入を所望する場合、自動販売機１の無線通信部１２に記録媒体２を接近させる。自動販売機１は、制御部１０の制御により、記録媒体２に記録されている識別情報及び属性情報を無線通信部１２にて読み取る（Ｓ２０１）。ステップＳ２０１にて読み取る識別情報とは、媒体識別情報又は人物識別情報である。
【００５１】
自動販売機１は、制御部１０の制御により、読み取った識別情報に対応付けられている履歴情報を記録装置３から読み取る（Ｓ２０２）。ステップＳ２０２において、自動販売機１は、有線通信部１６から通信網１００を介して記録装置３へ識別情報を送信し、記録装置３は、通信部３２にて識別情報を受信し、受信した識別情報に対応付けて記録されている履歴情報を履歴テーブル３１ａから読み取り、読み取った履歴情報を自動販売機１へ送信する。そして自動販売機１は、自動販売機１から送信された履歴情報を有線通信部１６にて受信することにより、履歴情報の読み取りが行われる。
【００５２】
以降の処理は、図８を用いて説明した実施の形態１のステップＳ１０３以降の処理と同様であるので、実施の形態１を参照するものとし、以降の説明を省略する。なお商品購入後、購入した商品を示す情報が自動販売機１から記録装置３へ送信され、記録装置３では、受信した商品を示す情報に基づいて、履歴テーブル３１ａに記録されている履歴情報を更新する。
【００５３】
前記実施の形態は、本発明を実現する無数の形態の中の一例を示したものであり、本発明は上述した例に限らず、様々な形態に展開することが可能である。例えば点数に基づいて、画像の配置及び大きさを決定するだけでなく、優先順位の高い商品のみ、動画の表示、カラー映像の表示、音声の出力等の様々な強調処理を行う様にしても良い。また属性情報のみに基づいて点数を決定する様にしても良い。
【００５４】
さらに本発明は、飲料等の飲食物以外の商品の販売に適用することも可能である。例えば複数の映画が上映されている大型映画館の券売機に適用し、来場者の属性に応じた映画を強調して表示する等、様々な形態に展開することが可能である。
【００５５】
さらに本発明の飲食物以外の商品の販売に適用する例として、電車等の乗り物に乗車する乗車券を販売する券売機に適用することも可能である。乗車券を販売する券売機に適用する場合、購入者の属性が小学生であるとき、小学生料金を示した乗車券（商品）の画像を表示する。同様にして購入者の属性が老人であるとき、割引料金を示した乗車券の画像を表示する。この様な形態に適用した場合、割引が有ることを認識せずに正規料金にて乗車券を購入することを防止することが可能である。
【００５６】
以上の実施の形態に関し、更に以下の付記を開示する。
【００５７】
（付記１）
販売する商品の画像を表示する表示面を有し、指定された商品を排出する自動販売機において、
人物に係る属性を示す属性情報を受け付ける受付手段と、
受け付けた属性情報に基づいて、表示面に表示させる商品の画像の表示方法を決定する決定手段と
を備えることを特徴とする自動販売機。
【００５８】
（付記２）
前記決定手段は、商品の画像の配置及び／又は大きさを決定する様に構成してあることを特徴とする付記１に記載の自動販売機。
【００５９】
（付記３）
前記表示面を覆い、該表示面に表示している画像を透過させ、該画像を指定する入力を受け付ける入力層を有し、
該入力層が、表示面に表示された商品の画像を指定する入力を受け付けた場合に、指定された画像の商品を排出させる手段を更に備える
ことを特徴とする付記１又は付記２に記載の自動販売機。
【００６０】
（付記４）
前記受付手段は、人物の高さに係る属性情報を受け付ける様に構成してあり、
前記決定手段は、高さに係る属性情報に基づいて、商品の画像を配置する上下方向の位置を決定する様に構成してある
ことを特徴とする付記１乃至付記３のいずれかに記載の自動販売機。
【００６１】
（付記５）
前記受付手段は、複数の数値化された属性情報を受け付ける様に構成してあり、
商品に対応付けて、属性に対応する重み係数を記録する係数テーブルと、
前記受付手段が受け付けた各属性情報に、対応付けられている重み係数を夫々乗じて、商品毎の点数を算出する算出手段と
を更に備え、
前記決定手段は、算出した点数の順に基づいて決定する様に構成してある
ことを特徴とする付記１乃至付記４のいずれかに記載の自動販売機。
【００６２】
（付記６）
前記算出手段は、予め商品毎に設定されている重要度点数を加点する様に構成してあることを特徴とする付記５に記載の自動販売機。
【００６３】
（付記７）
付記１乃至付記６のいずれかに記載の自動販売機と、
属性情報を記録した記録媒体と
を備え、
前記自動販売機が備える受付手段は、記録媒体に記録されている属性情報を受け付ける様に構成してある
ことを特徴とする自動販売機システム。
【００６４】
（付記８）
前記記録媒体は、商品の購入履歴を示す履歴情報を記録する手段を更に備え、
前記自動販売機が備える受付手段は、記録媒体に記録されている履歴情報を受け付ける様に構成してあり、
前記自動販売機が備える決定手段は、受け付けた履歴情報に基づいて商品の画像の表示方法を決定する様に構成してあり、
前記自動販売機は、前記記録媒体へ履歴情報を送る手段を更に備える
ことを特徴とする付記７に記載の自動販売機システム。
【００６５】
（付記９）
人物又は記録媒体を識別する識別情報に対応付けて商品の購入履歴を示す履歴情報を記録する記録装置を更に備え、
前記記録媒体は、識別情報を記録する手段を更に備え、
前記自動販売機が備える受付手段は、記録媒体に記録されている識別情報を受け付ける様に構成してあり、
前記自動販売機は、受け付けた識別情報に対応付けられている履歴情報を前記記録装置から読み取る手段を更に備え、
前記決定手段は、履歴情報に基づいて商品の画像の表示方法を決定する様に構成してある
ことを特徴とする付記７に記載の自動販売機システム。
【図面の簡単な説明】
【００６６】
【図１】本発明の実施の形態１に係る自動販売機システムの構成例を概念的に示す説明図である。
【図２】本発明の実施の形態１に係る自動販売機システムが備える各装置の構成を示すブロック図である。
【図３】本発明の実施の形態１に係る自動販売機が備える係数テーブルの記録内容の一例を概念的に示す説明図である。
【図４】本発明の実施の形態１に係る自動販売機が備える重要度テーブルの記録内容の一例を概念的に示す説明図である。
【図５】本発明の実施の形態１に係る自動販売機が備える画像テーブルの記録内容の一例を概念的に示す説明図である。
【図６】本発明の実施の形態１に係る自動販売機が備える表示テンプレートの例を概念的に示す説明図である。
【図７】本発明の実施の形態１に係る自動販売機システムにて用いられる記録媒体に記録されている属性情報の一例を概念的に示す説明図である。
【図８】本発明の実施の形態１に係る自動販売機の処理の一例を示すフローチャートである。
【図９】本発明の実施の形態１に係る自動販売機の処理の途中経過の一例を概念的に示す説明図である。
【図１０】本発明の実施の形態１に係る自動販売機の処理の途中経過の一例を概念的に示す説明図である。
【図１１】本発明の実施の形態１に係る自動販売機の処理の途中経過の一例を概念的に示す説明図である。
【図１２】本発明の実施の形態１に係る自動販売機の表示部に表示される画像の一例を示す説明図である。
【図１３】本発明の実施の形態２に係る自動販売機システムの構成例を概念的に示す説明図である。
【図１４】本発明の実施の形態２に係る自動販売機システムが備える各装置の構成を示すブロック図である。
【図１５】本発明の実施の形態２に係る記録装置が備える履歴テーブルの記録内容の一例を概念的に示す説明図である。
【図１６】本発明の実施の形態２に係る自動販売機の処理の一例を示すフローチャートである。
【符号の説明】
【００６７】
１  自動販売機
１０  制御部
１０１  記録手段
１０１ａ  係数テーブル
１０１ｂ  重要度テーブル
１０１ｃ  画像テーブル
１０１ｄ  表示テンプレート
１１  表示部
１１０  表示層
１１１  入力層
１２  無線通信部
１３  商品格納部
１４  商品排出部
１５  決済管理部
１６  有線通信部
２  記録媒体
２０  記録手段
２１  通信手段
３  記録装置
３１  記録部
３１ａ  履歴テーブル
３２  通信部
１００  通信網
３００  記録媒体
【図１】
2008234331.tif 000003
【図２】
2008234331.tif 000004
【図３】
2008234331.tif 000005
【図４】
2008234331.tif 000006
【図５】
2008234331.tif 000007
【図６】
2008234331.tif 000008
【図７】
2008234331.tif 000009
【図８】
2008234331.tif 000010
【図９】
2008234331.tif 000011
【図１０】
2008234331.tif 000012
【図１１】
2008234331.tif 000013
【図１２】
2008234331.tif 000014
【図１３】
2008234331.tif 000015
【図１４】
2008234331.tif 000016
【図１５】
2008234331.tif 000017
【図１６】
2008234331.tif 000018